(57)【要約】【課題】尿臭の洩れを防止でき、導尿バッグの変形や破損を防止できる導尿バッグ携行容器を提供する。【解決手段】導尿バッグＢを出し入れする開口部２を上部に形成した本体３と、開口部２に取り付けられた開閉蓋４とを有する不透明な硬質製の携行筐体５と、この携行筐体５の内部において導尿バッグＢを懸吊する懸吊手段１０と、携行筐体５に形成され、開閉蓋４を閉じた状態において、懸吊された導尿バッグＢの導尿チューブＢｃを外部に挿通させる挿通孔１２と、を備える導尿バッグ携行容器１とした。【選択図】図１
2008099781.tif 000002
【特許請求の範囲】
【請求項１】
導尿バッグを出し入れする開口部を上部に形成した本体と、前記開口部に取り付けられた開閉蓋とを有する不透明な硬質製の携行筐体と、
この携行筐体の内部において導尿バッグを懸吊する懸吊手段と、
前記携行筐体に形成され、前記開閉蓋を閉じた状態において、懸吊された前記導尿バッグの導尿チューブを外部に挿通させる挿通孔と、
を備えることを特徴とする導尿バッグ携行容器。
【請求項２】
前記挿通孔は、前記導尿チューブをその径方向から差し込めるように、前記開閉蓋或いは前記本体の縁部から切り欠かれていることを特徴とする請求項１に記載の導尿バッグ携行容器。
【請求項３】
前記挿通孔に、前記導尿チューブ周りの隙間を密封するための弾性材料からなるチューブ密封部材を設けたことを特徴とする請求項１または請求項２に記載の導尿バッグ携行容器。
【請求項４】
前記携行筐体は直方体形状を呈し、
前記開閉蓋は、背面側に取り付けた横方向を軸方向とするヒンジ回りに回動開閉する構造からなり、
前記本体の開口部が正面斜め上方に向けて開口するように、前記本体は正面板が背面板よりも低く形成されていることを特徴とする請求項１ないし請求項３のいずれか一項に記載の導尿バッグ携行容器。
【請求項５】
前記携行筐体は、前記本体に、内部の導尿バッグの一部分を視認可能な視認窓が設けられていることを特徴とする請求項１ないし請求項４のいずれか一項に記載の導尿バッグ携行容器。
【請求項６】
前記携行筐体は、前記本体の内部に消臭剤が収納されていることを特徴とする請求項１ないし請求項５のいずれか一項に記載の導尿バッグ携行容器。
【発明の詳細な説明】
【技術分野】
【０００１】
本発明は、手術後の患者や重篤な患者等が用いる導尿バッグを収納する携行用の容器に関する。
【背景技術】
【０００２】
手術後の患者や歩行が困難な重篤患者等は、採尿のため、膀胱に挿入された膀胱留置カテーテルに接続された導尿バッグを使用することが多い。このバッグは透明な軟質の樹脂袋からなり、表面に尿量読み取り用の目盛りが記され、例えばその上部に導尿カテーテルに接続する導尿チューブ、下部にチューブ閉塞用クランプが装着され、バッグ内の尿を排出する排出用チューブが設けられている。導尿バッグは通常はベッドサイドに取り付けられているが、尿が所定量に達すると、切り離されてトイレに運ばれ、中の尿を排出した後、再び導尿カテーテルに接続されて使用される。患者が回復期にあるときは、車椅子にこの導尿バッグを取り付けて移動することもある。
【０００３】
この種の導尿バッグはその容量が２リットル程度のものが多く、尿量が多い場合には重量物となるため、床に落とすと破裂したり尿がこぼれたりすることがある。また、通常、空気抜きのフィルタが取り付けられているため、このフィルタを通して、または排出用チューブに付着した尿により、尿臭を発しやすいという問題もある。さらに、透明な樹脂からなる導尿バッグをそのままむき出しで携行すると、内部の尿が人の目に触れるという問題もある。このような問題に対して、特許文献１には、導尿バッグを収納袋に収納して持ち運ぶ旨が記載されている。
【特許文献１】特開２００１−０８７２９８号公報
【発明の開示】
【発明が解決しようとする課題】
【０００４】
しかし、特許文献１の技術は、単に不透明な袋で導尿バッグを覆い隠すだけであり、開口部を通して漏れる尿臭を防止できないばかりか、落下など外的負荷によって導尿バッグが変形したり破損しやすいという問題は解決されていない。
【０００５】
本発明は、以上のような問題を解決するために創作されたものであり、尿臭の洩れを防止でき、導尿バッグの変形や破損を防止できる導尿バッグ携行容器を提供することを目的としている。
【課題を解決するための手段】
【０００６】
本発明は、前記課題を解決するため、導尿バッグを出し入れする開口部を上部に形成した本体と、前記開口部に取り付けられた開閉蓋とを有する不透明な硬質製の携行筐体と、この携行筐体の内部において導尿バッグを懸吊する懸吊手段と、前記携行筐体に形成され、前記開閉蓋を閉じた状態において、懸吊された前記導尿バッグの導尿チューブを外部に挿通させる挿通孔と、を備えることを特徴とする導尿バッグ携行容器とした。
【０００７】
この導尿バッグ携行容器によれば、（１）硬質製の携行筐体を備えるため、収納された導尿バッグの外的負荷による変形や損傷を防止できる、（２）携行筐体内において尿が漏れた場合であっても、尿が筐体に染み込むことがなく、尿の拭き取り清掃が容易となる、（３）携行筐体が不透明であるため、導尿バッグが目に触れることの不快感を解消することができる、（４）患者がベッドに戻ってきたときなどには、導尿バッグを例えばベッドサイドの係止スタンドに掛け直す必要がなく、床に安定した状態で載置されることとなる硬質製の携行筐体において、そのまま導尿バッグを懸吊手段により吊るしておくことができる、（５）導尿チューブを挿通させる挿通孔を別途に設けたことで、開閉蓋を閉じた際の携行筐体を密閉構造とすることができ、導尿バッグ周りから発生する尿臭の洩れを遮断できる、等の効果が奏される。
【０００８】
また本発明は、前記挿通孔は、前記導尿チューブをその径方向から差し込めるように、前記開閉蓋或いは前記本体の縁部から切り欠かれていることを特徴とする導尿バッグ携行容器とした。
【０００９】
この導尿バッグ携行容器によれば、導尿チューブを導尿バッグおよび患者側の導尿カテーテルに接続させたままの状態で、携行筐体に対して導尿バッグを出し入れして携行することができる。
【００１０】
また本発明は、前記挿通孔に、前記導尿チューブ周りの隙間を密封するための弾性材料からなるチューブ密封部材を設けたことを特徴とする導尿バッグ携行容器とした。
【００１１】
この導尿バッグ携行容器によれば、尿臭の外部への洩れを一層遮断できる。
【００１２】
また本発明は、前記携行筐体は直方体形状を呈し、前記開閉蓋は、背面側に取り付けた横方向を軸方向とするヒンジ回りに回動開閉する構造からなり、前記本体の開口部が正面斜め上方に向けて開口するように、前記本体は正面板が背面板よりも低く形成されていることを特徴とする導尿バッグ携行容器とした。
【００１３】
この導尿バッグ携行容器によれば、開閉構造が簡易になるとともに、開口部の開口面積を正面側に向けて大きくとることができるので、導尿バッグの出し入れ性が向上する。
【００１４】
また本発明は、前記携行筐体は、前記本体に、内部の導尿バッグの一部分を視認可能な視認窓が設けられていることを特徴とする導尿バッグ携行容器とした。
【００１５】
この導尿バッグ携行容器によれば、開閉蓋を閉じたまま導尿バッグの尿量を確認できる。
【００１６】
また本発明は、前記携行筐体は、前記本体の内部に消臭剤が収納されていることを特徴とする導尿バッグ携行容器とした。
【００１７】
この導尿バッグ携行容器によれば、容器内から発生する尿臭を効果的に消臭することができる。
【発明の効果】
【００１８】
本発明によれば、導尿バッグを携行するにあたり、尿臭の洩れを防止でき、導尿バッグの変形や破損を防止できる。
【発明を実施するための最良の形態】
【００１９】
本発明について図面を参照して説明する。図１は導尿バッグ携行容器の外観斜視図であり、（ａ）は開閉蓋を閉じた状態、（ｂ）は開閉蓋を開いた状態を示している。図２は導尿バッグの外観図、図３は図１に示した導尿バッグ携行容器の側断面説明図である。
【００２０】
図１において、導尿バッグ携行容器１は、導尿バッグＢを出し入れする開口部２を上部に形成した本体３と、開口部２に取り付けられた開閉蓋４とからなる不透明な硬質製の携行筐体５を備える。携行筐体５は直方体形状を呈しており、開閉蓋４は、図３に示すように、背面側に取り付けた横方向を軸方向とするヒンジ６回りに回動開閉する構造となっている。携行筐体５の正面側には、開閉蓋４の閉状態をロックするための留め具７が取り付けられる。そして、携行筐体５の携行手段の例として、図１に示すように、開閉蓋４の上面には取手８が取り付けられ、本体３の側面板３Ｃには脱着式の肩掛け用のベルト９が取り付けられている。
【００２１】
硬質製の携行筐体５とは、形状が変化する袋状のものと異なり、筐体形状が常に一定であるものを意味する。材質はステンレス合金やアルミニウム合金などの金属でも良いが、軽量性や経済性の点から合成樹脂材とすることが好ましい。好適な合成樹脂材料として、硬質塩化ビニル、ポリアセタール、ポリアクリル、ポリカーボネート等が挙げられる。
【００２２】
導尿バッグＢは、図２に示すように、水平方向に延設されるバー状の係止部材Ｂａと、この係止部材Ｂａから垂下された尿溜め袋Ｂｂとを有する。尿溜め袋Ｂｂは透明な軟質の樹脂材料から成形され、扁平袋状を呈している。尿溜め袋Ｂｂの上縁部は、その中央付近が低く形成されており、左右の上縁端部が係止部材Ｂａの両端周りにそれぞれ取り付けられている。したがって、係止部材Ｂａの下面中央周りと尿溜め袋Ｂｂの上縁中央周りとの間には空間（後記するフック１１を位置させるための係止用空間Ｓ）が形成される。そして、尿溜め袋Ｂｂの上部には、患者の導尿カテーテル等に接続する導尿チューブＢｃの端口が取り付けられている。
【００２３】
図１や図３に示すように、本体３には、携行筐体５の内部において導尿バッグＢを懸吊収納させるための懸吊手段１０が設けられている。本体３の背面板３Ｂの内面側上部には、断面コの字形状を呈したフック１１がその開口部を上方に向け、水平方向に延設されるかたちで固定されている。このフック１１が懸吊手段１０を構成する。導尿バッグＢは、係止部材Ｂａの中央部周りがこのフック１１に係止されることで、携行筐体５内において懸吊収納される。
【００２４】
次に、携行筐体５には、開閉蓋４を閉じた状態において、懸吊された導尿バッグＢの導尿チューブＢｃを外部に挿通させるための挿通孔１２が形成されている。ここで、導尿チューブＢｃはその一端口が前記したように尿溜め袋Ｂｂに取り付けられ、他端口は患者の導尿カテーテル等に接続されている。したがって、挿通孔１２を、板材の縁から非連続となる独立孔として穿設した場合、導尿チューブＢｃを挿通させるためには、例えば導尿チューブＢｃの他端口を導尿カテーテルから一旦外し、この他端口を挿通孔１２に通してから再度導尿カテーテルに接続するという手順が必要となる。
【００２５】
この問題に対し本実施形態では、図１に示すように、挿通孔１２を、導尿チューブＢｃをその径方向から差し込めるように、開閉蓋４の縁部から切り欠かれた構成、つまり開閉蓋４の縁部から連続する孔としている。具体的には、開閉蓋４の正面側の下縁部から開閉蓋４の上面にかけて挿通孔１２の一部としての切欠き溝１２ａが形成されており、この切欠き溝１２ａの末端が導尿チューブＢｃの正規の挿通位置となる。これにより、導尿チューブＢｃを、尿溜め袋Ｂｂおよび導尿カテーテルに接続させたまま切欠き溝１２ａに沿ってチューブの径方向から差し込み、切欠き溝１２ａの末端まで通すことができる。なお、挿通孔１２（切欠き溝１２ａ）は本体３側において形成してもよい。
【００２６】
また、挿通孔１２（切欠き溝１２ａ）には隙間が生ずるので、この隙間を密封するべく弾性材料からなるチューブ密封部材１３が設けられる。チューブ密封部材１３は、例えば挿通孔１２を閉塞するように開閉蓋４の内面側に取り付けられる部材であり、導尿チューブＢｃを通すためのスリット１３ａが切欠き溝１２ａに沿って形成されている。これにより、チューブ密封部材１３が弾性変形することで導尿チューブＢｃをスリット１３ａ内において通過させることができ、通過後はスリット１３ａが閉じることで挿通孔１２の隙間が密封される。チューブ密封部材１３は例えば合成ゴム材等から構成される。好適例としては、シリコーンゴム、発泡ウレタンゴム、熱可塑性エラストマー等である。
【００２７】
以上のように、導尿バッグＢを出し入れする開口部２を上部に形成した本体３と、開口部２に取り付けられた開閉蓋４とを有する不透明な硬質製の携行筐体５と、携行筐体５の内部において導尿バッグＢを懸吊する懸吊手段１０と、携行筐体５に形成され、開閉蓋４を閉じた状態において、懸吊された導尿バッグＢの導尿チューブＢｃを外部に挿通させる挿通孔１２と、を備える導尿バッグ携行容器１とすれば、次のような効果が奏される。
（１）硬質製の携行筐体５を備えるため、収納された導尿バッグＢの外的負荷による変形や損傷を防止できる。
（２）携行筐体５内において尿が漏れた場合であっても、尿が筐体に染み込むことがなく、尿の拭き取り清掃が容易となる。
（３）携行筐体５が不透明であるため、導尿バッグＢが目に触れることの不快感を解消することができる。
（４）患者がベッドに戻ってきたときなどには、導尿バッグＢを例えばベッドサイドの係止スタンドに掛け直す必要がなく、床に安定した状態で載置されることとなる硬質製の携行筐体５において、そのまま導尿バッグＢを懸吊手段１０により吊るしておくことができる。
（５）導尿チューブＢｃを挿通させる挿通孔１２を別途に設けたことで、開閉蓋４を閉じた際の携行筐体５を密閉構造とすることができ、導尿バッグＢ周りから発生する尿臭の洩れを遮断できる。
【００２８】
また、挿通孔１２を、導尿チューブＢｃをその径方向から差し込めるように、開閉蓋４或いは本体３の縁部から切り欠く構成とすれば、導尿チューブＢｃを尿溜め袋Ｂｂおよび導尿カテーテルに接続させたままの状態で、携行筐体５に対して導尿バッグＢを出し入れすることができる。
【００２９】
また、挿通孔１２に、導尿チューブＢｃ周りの隙間を密封するための弾性材料からなるチューブ密封部材１３を設ければ、尿臭の洩れを一層遮断できる。
【００３０】
さらに、携行筐体５は直方体形状を呈し、開閉蓋４は、背面側に取り付けた横方向を軸方向とするヒンジ６回りに回動開閉する構造からなり、本体３の開口部２が正面斜め上方に向けて開口するように、本体３は正面板３Ａが背面板３Ｂよりも低く形成されている構成とすれば、開閉構造が簡易になるとともに、開口部２の開口面積を正面側に向けて大きくとることができるので、導尿バッグＢの出し入れ性が向上する。
【００３１】
また、開閉蓋４が閉じた状態であっても、内部の導尿バッグＢの一部分を視認できる程度の視認窓１４を携行筐体５に形成すれば、開閉蓋４を閉じたまま導尿バッグＢの尿量を確認できる。視認窓１４には透明な樹脂板やガラス板等が嵌め込まれる。視認窓１４は導尿バッグＢの一部分を視認できる程度の小さめの窓であるため、前記（３）の効果がさほど低減されるものではない。場合によっては、この視認窓１４を通常時に遮蔽するスライド式や回動式の不透明な窓蓋材を設けてもよい。
【００３２】
「懸吊手段１０の変形例」
図４は懸吊手段の変形例に係る導尿バッグ携行容器の外観斜視図である。本体３の上部左右端周りには、一対の格納式のフック２１が取り付けられている。フック２１は通常時には鉛直方向に沿って格納され、導尿バッグＢの懸吊時には水平方向に突出するピン部材として構成される。導尿バッグＢの係止部材Ｂａの少なくとも両端部の断面形状は図３でも示されるように中空となっており、この中空部にフック２１を入れることで、導尿バッグＢを懸吊させることができる。この構造では、フック２１を回動自在に支持するブラケット２２が、係止部材Ｂａの端部に当接することで、導尿バッグＢの左右の移動が規制される。
【００３３】
「携行筐体５の変形例」
図５は携行筐体の変形例に係る導尿バッグ携行容器の外観斜視図であり、（ａ）、（ｂ）はそれぞれ開閉蓋を取り付けた状態、外した状態を示す。この携行筐体５は、本体３に対して開閉蓋４が完全に外れる構造であり、開閉蓋４が嵌め込み方式により本体３の上部に取り付けられるようになっている。勿論、この場合も本体３や開閉蓋４は不透明な硬質製の筐体として構成される。開閉蓋４が取り付けられた状態において、本体３の背面板３Ｂは開閉蓋４よりも上方に突出しており、この突出部位に携行手段としての取手用孔２３が形成されている。開閉蓋４を外すと、本体３の正面板３Ａや側面板３Ｃの上縁部は、懸吊された導尿バッグＢの高さ方向中程に位置する高さにある。つまり、導尿バッグＢの約上半分が外部に大きく露出するようになっており、導尿バッグＢの出し入れ性を向上させている。なお、本変形例においても開閉蓋４には、導尿チューブＢｃをその径方向から差し込めるように、切欠き状の挿通孔１２が形成されている。また、この挿通孔１２にもチューブ密封部材を設けることができる。
【００３４】
「消臭剤を付加した例」
図６は、図１に示した携行筐体５の内部に消臭剤を付加した例を示す図である。消臭剤の付加形態としては、例えば次の３つの方法が挙げられる。１つ目は、消臭剤を封入したパックを携行筐体５内に載置する方法である。このパックとしては活性炭パック３１が好適であり、この場合、本体３の内面側に活性炭パック３１を収容するためのポケット部３２を設ければよい。活性炭パック３１は、例えば活性炭（約２０グラム程度）を不織布製袋に封入した構成からなる。２つ目としては、消臭シート（活性炭シート３３）を携行筐体５の内面に貼設する方法である。具体的には、活性炭繊維シートや光触媒複合活性炭繊維シート等が適用される。３つ目としては、導尿バッグＢの係止部材Ｂａを中空部材とし、その内部に消臭剤（活性炭）を封入させる方法である。この場合、係止部材Ｂａの表面に複数の通気孔３４を穿設すればよい。以上の方法は、組み合わせて用いてもよいし、いずれか１つのみ実施しても所定の尿臭消しの効果が期待できる。
【００３５】
以上、本発明について好適な実施形態を説明した。携行筐体５については、抗菌剤を付加することで清潔性を向上させることができる。抗菌剤としては、（１）銀イオン保持物、例えば銀ゼオライト（好適な割合として携行筐体５の合成樹脂材料に対して２．５質量％程度）、（２）酸化チタン等が挙げられる。付加方法としては、抗菌剤を予め合成樹脂材料に練り込んだうえで携行筐体５を成形する、射出金型の内面へ抗菌剤をスプレー塗布しておくことにより、成形時に携行筐体５の表面へ転写させる、蒸着により携行筐体５の表面に付加する、等である。
【図面の簡単な説明】
【００３６】
【図１】導尿バッグ携行容器の外観斜視図であり、（ａ）は開閉蓋を閉じた状態、（ｂ）は開閉蓋を開いた状態を示す。
【図２】導尿バッグの外観図である。
【図３】図１に示した導尿バッグ携行容器の側断面説明図である。
【図４】懸吊手段の変形例に係る導尿バッグ携行容器の外観斜視図である。
【図５】携行筐体の変形例に係る導尿バッグ携行容器の外観斜視図であり、（ａ）、（ｂ）はそれぞれ開閉蓋を取り付けた状態、外した状態を示す。
【図６】図１に示した携行筐体の内部に消臭剤を付加した例を示す図である。
【符号の説明】
【００３７】
１      導尿バッグ携行容器
２      開口部
３      本体
４      開閉蓋
５      携行筐体
６      ヒンジ
１０      懸吊手段
１２      挿通孔
１３      チューブ密封部材
Ｂ      導尿バッグ
Ｂｃ      導尿チューブ
【図１】
2008099781.tif 000003
【図２】
2008099781.tif 000004
【図３】
2008099781.tif 000005
【図４】
2008099781.tif 000006
【図５】
2008099781.tif 000007
【図６】
2008099781.tif 000008